(57)【特許請求の範囲】
【請求項１】
複数の異物除去穴部が開口形成され、洗浄対象である複数のメダルの載置場所を有し、回動可能に形成されたメダルディスクと、このメダルディスクの異物除去穴部の下方に設けられ、該メダルディスクと一体に回動し、該異物除去穴部から落下してきた異物を遠心力により所定部位に案内する異物除去ディスクとを備えた異物除去機構。
【請求項２】
複数のメダルを複数枚排出可能な所定の長さ、およびメダルディスクとの間で所定の高さを有するメダル排出口を設けた異物除去部を備えたことを特徴とする請求項１記載の異物除去機構。
【請求項３】
メダルディスクの上方に配置され、該メダルディスクに載置移送されているメダルを整列するメダル揃え板を備えたことを特徴とする請求項１または請求項２記載の異物除去機構。
【請求項４】
メダル排出口を有し、搬送されてきた洗浄対象である複数のメダルを収納する異物除去部と、この異物除去部内方に設けられ、複数の異物除去穴部を有し、回動可能に形成されたメダルディスクと、このメダルディスクの下方に配置され、該メダルディスクと一体に回動し、異物除去穴部から落下してきた異物を遠心力により除去する異物除去ディスクと、上記メダル排出口に対向して配置された洗浄ローラと、この洗浄ローラのメダル排出側に隣設けられた洗浄液吸着ローラと、上記メダルディスク、異物除去ディスク、洗浄ローラ洗浄、液吸着ローラを駆動させる駆動装置とを備えたメダル洗浄装置。
【請求項５】
メダルを入れるホッパーの下部開口部の下方に設けられたメダル搬送コンベアと、このメダル搬送コンベアの搬出方向端部の下方に設けられ、所定長さで開口されたメダル排出口を有する異物除去部と、この異物除去部内に軸部を支承して設けられ、異物除去穴部が開口されたメダルディスクと、このメダルディスクの異物除去穴部の下方に設けられ、該メダルディスクと一体に回動し、該異物除去穴部から落下してきた異物を遠心力により所定部位に案内する異物除去ディスクと、箱体に装着され上記メダルディスクの上面と所定隙間を作るメダル揃え板と、上記メダル排出口の外方に設けられた一対の洗浄ローラと、この洗浄ローラのメダル排出方向に隣接して設けられた一対の洗浄液吸着ローラと、上記双方のディスクと上記双方のローラを駆動させる駆動装置と、洗浄液を循環させる洗浄液装置とを備えたメダル洗浄装置。
【請求項６】
メダル洗浄装置全体を載置し、全体を移動可能とするキャスターが設けられた台車を設けたことを特徴とする請求項４または請求項５記載のメダル洗浄装置。
【請求項７】
洗浄装置は、液タンクの注水口に通水部材を設けたことを特徴とする請求項４から請求項６のうちのいずれか１項記載のメダル洗浄装置。
【発明の詳細な説明】
【０００１】
【発明の属する技術分野】
この発明は、スロットマシンで使用するメダルの洗浄と混入した異物を除去するメダル洗浄装置に関するものである。
【０００２】
【従来の技術】
図９は例えば実願平１１−３９６７号公報に示された従来のメダル洗浄装置を示す構成正面図であり、図において、１はメダル、２はメダル洗浄装置、３はこのメダル洗浄装置１を囲む枠体、４は枠体３の上部に設けられ、洗浄すべきメダル１を受け入れるホッパー、５はホッパー４の下部開口部４ａの下部に水平方向に設けられたメダル移送用の移送コンベア、６は移送コンベア５の移送方向端部の下方に設けられたシュート、７は一端がシュート６の下端部の下方に設けられた洗浄コンベア、８は洗浄コンベア７の移送方向の中間部上方位置であって、洗浄コンベア７の上面と所定間隔をもって設けられ、回転軸が移送方向と直交する方向に軸支されたメダル洗浄用のブラッシングローラ、９は洗浄コンベア７の他端、つまり搬出方向端部に近接して設けられた洗浄ローラであって、上下一対の上部洗浄ローラ９ａとおよび部洗浄ローラ９ｂと、この下部洗浄ローラ９ｂの下部に圧接配置された洗浄液回収ローラ９ｃとを有する。１０は上記洗浄ローラ９の後方に設けられた洗浄液吸着ローラであって、上下一対の上部洗浄液吸着ローラ１０ａおよび下部洗浄液吸着ローラ１０ｂと、この下部洗浄液吸着ローラ１０ｂの下部に圧接配置された洗浄液絞りローラ１０ｃとを有する。１１はメダル１を外部へ排出する出口シュート、１２は洗浄装置であって、枠体３の下部に設置され、洗浄液を回収貯留する液タンク１２ａ、回収貯留された洗浄液を循環させるポンプ１２ｂ、洗浄コンベア７上のメダル１に洗浄液を供給する給液管１２ｃ、洗浄液を回収入水する受水板１２ｄとから構成されている。
【０００３】
次に動作について説明する。
例えば、遊技場から回収され、洗浄しようとするメダル１をホッパー４に入れると、メダル１は移送コンベア５に搬送され、洗浄コンベア７に導くシュート６に移送される。
【０００４】
シュート６から落下したメダル１は、洗浄コンベア７の一端の受け入れ端に載置され、洗浄液の液切れが良くなるように他端の排出端が上部となるように傾斜した洗浄コンベア７によって洗浄ローラ９に移送される。この移送過程において洗浄コンベア７の移送方向の中間部上方位置で、回転軸が移送方向と直交する方向に軸支されたブラッシングローラ８は、メダル１を洗浄する。このブラッシングローラ８は、洗浄コンベア７とは逆方向に回転すると共に、洗浄コンベア７の上面とはメダル１が壱個通過するだけの間隔が設けてあり、メダル１が積み重なって供給されたときは、上に積み重なった余分のメダル１を除去してメダルが積み重なることなくメダル１の表面を洗浄する。
【０００５】
洗浄装置１２は、枠体３の下部に設置された液タンク１２ａに収納された洗浄液をポンプ１２ｂによって給液管１２ｃからシュート６上のメダル１に吹き付けて洗浄する。
【０００６】
このようにして洗浄され、洗浄液が付着したメダル１は洗浄コンベア７から１枚ずつ洗浄ローラ９に送り込まれて、表面が吸水性を有する材料、例えばスポンジ状ウレタン等でそれぞれ被覆された上下一対の上部洗浄ローラ９ａと下部洗浄ローラ９ｂとの間に挟持されて回転によって送り出されながら洗浄する。また、下部洗浄ローラ９ｂに含まれた洗浄液は、圧接して回転する洗浄液回収ローラ９ｃによって絞り取られ下方の受水板１２ｄに落下する。次にメダル１は洗浄ローラ９の回転搬出方向に隣接して配置された洗浄液吸着ローラ１０の表面が吸水性を有する材料、例えばスポンジ状ウレタン等でそれぞれ被覆された上下一対の上部洗浄液吸着ローラ１０ａと下部洗浄液吸着ローラ１０ｂとの間に挟持されて回転によって送り出されながら洗浄液を吸着されて出口シュート１１からメダル回収箱（図示せず）に収納される。また、下部洗浄液吸着ローラ１０ｂに含まれた洗浄液は、圧接して回転する洗浄液絞りローラ９ｃによって絞り取られ下方の受水板１２ｄに落下して液タンク１２ａに回収される。
【０００７】
【発明が解決しようとする課題】
従来のメダル洗浄装置は以上のように構成されているので、回収されたメダル内にスロットマシンから落下したネジやワッシャ等の異物が混入している場合、その異物を除去する手段がないので、異物ともメダル１と一緒に洗浄コンベア７に移送される場合があり、その異物によって洗浄コンベア７が損傷してしまう問題点があった。そして、損傷を受けた洗浄コンベア７を補修する場合、洗浄コンベア７を取り外して行う必要があった。しかし、洗浄コンベア７は、洗浄装置と一体取り付けされているので、洗浄コンベア７の取り外し作業は、非常に困難を伴い作業人力、作業時間、作業コスト等が非常にかかってしまう問題点があった。
さらに、洗浄コンベア７に搬送されたネジやワッシャ等の異物が混入している場合、ブラッシングローラ８で除去できないものも多数存在し、次の段階である洗浄ローラ９に搬送され、洗浄ローラ９を損傷してしまうという事態が頻繁に生じていた。また、損傷を受けた洗浄ローラ９の修理は、その全体の交換が必要で、作業人力、作業時間、作業コスト等が非常にかかってしまう問題点があった。また、ブラッシングローラ８は、２種類存在するメダル１の厚さ（厚さ１．６ｍｍ、１．９ｍｍ）に対応させて洗浄コンベア７上面との間隔距離をその都度調整する必要があり、その調整作業に熟練と煩雑な手間を必要とするという問題点があった。さらに、ブラッシングローラ８は、メダル１に接触摩擦によりメダル１をブラッシングするので、比較的短時間で摩耗し、交換の必要があるとともに、その交換タイミングを少しでも怠ると、メダル１が重なった状態で洗浄ローラ９、洗浄液吸着ローラ１０に搬送され、その結果、メダル１が重なった部分に洗浄液が溜まったままで終了し、洗浄・吸着処理が不完全なものとなるという問題点があった。
また、従来の洗浄装置では、洗浄コンベア７が不可欠なので、どうしても洗浄装置が大型化してしまう等の問題点があった。
なお、他の従来技術として例えば、特開平１０−２８６５３４号公報、特開平１０−２７７５０４号公報に記載された洗浄装置があるが、いずれもブラッシングローラ、洗浄コンベアをその構成要素としているので、同様の問題点があった。
【０００８】
この発明は上記のような問題点を解消するためになされたもので、メダルに混入した異物の除去が簡単で、また故障等の発生率が非常に低く、しかも構造が簡単で、かつ装置が小型にできる異物除去機構およびメダル洗浄装置を得ることを目的とする。
【０００９】
【課題を解決するための手段】
この発明に係わる異物除去機構は、複数の異物除去穴部が開口形成され、洗浄対象である複数のメダルの載置場所を有し、回動可能に形成されたメダルディスクと、このメダルディスクの異物除去穴部の下方に設けられ、該メダルディスクと一体に回動し、該異物除去穴部から落下してきた異物を遠心力により所定部位に案内する異物除去ディスクと有するものである。
【００１０】
この発明に係わる異物除去機構は、複数のメダルを複数枚排出可能な所定の長さ、およびメダルディスクとの間で所定の高さを有するメダル排出口を設けた異物除去部を備えたものである。
【００１１】
この発明に係わる異物除去機構は、メダルディスクに載置移送されているメダルを整列するメダル揃え板を設けたものである。
【００１２】
この発明に係わるメダル洗浄装置は、メダル排出口を有し、搬送されてきた洗浄対象である複数のメダルを収納する異物除去部と、この異物除去部内方に設けられ、複数の異物除去穴部を有し、回動可能に形成されたメダルディスクと、このメダルディスクの下方に配置され、該メダルディスクと一体に回動し、異物除去穴部から落下してきた異物を遠心力により除去する異物除去ディスクと、上記メダル排出口に対向して配置された洗浄ローラと、この洗浄ローラのメダル排出側に隣設けられた洗浄液吸着ローラと、上記メダルディスク、異物除去ディスク、洗浄ローラ洗浄、液吸着ローラを駆動させる駆動装置とを備えたものである。
【００１３】
この発明に係わるメダル洗浄装置は、メダルを入れるホッパーの下部開口部の下方に設けられたメダル搬送コンベアと、このメダル搬送コンベアの搬出方向端部の下方に設けられ、所定長さで開口されたメダル排出口を有する異物除去部と、この異物除去部内に軸部を支承して設けられ、異物除去穴部が開口されたメダルディスクと、このメダルディスクの異物除去穴部の下方に設けられ、該メダルディスクと一体に回動し、該異物除去穴部から落下してきた異物を遠心力により所定部位に案内する異物除去ディスクと、箱体に装着され上記メダルディスクの上面と所定隙間を作るメダル揃え板と、上記メダル排出口の外方に設けられた一対の洗浄ローラと、この洗浄ローラのメダル排出方向に隣接して設けられた一対の洗浄液吸着ローラと、上記双方のディスクと上記双方のローラを駆動させる駆動装置と、洗浄液を循環させる洗浄液装置とを備えたものである。
【００１４】
この発明に係わるメダル洗浄装置は、メダル洗浄装置全体を載置し、全体を移動可能とするキャスターが設けられた台車を設けたものである。
【００１５】
この発明に係わるメダル洗浄装置は、洗浄装置は、液タンクの注水口に通水部材を設けたものである。
【００１６】
【発明の実施の形態】
実施の形態１．
以下、この発明の実施の形態１を図に基づいて説明する。図１〜図５において、１４はメダル洗浄装置、１５は内部にメダル落下部１５ａが形成されていた枠体、１６はこの枠体１５の上部に設けられたホッパーであって、下部には下部開口部１６ａが形成されている。１７はホッパー１６の下部開口部１６ａの下方でかつ枠体１５のメダル落下部１５ａ内に設置されたメダル搬送コンベア、１９はこのメダル搬送コンベア１７の搬出方向端部の下方に設けられた円筒状の異物除去部であって、上部には、メダル１を受け入れるメダル受入口部１９ａが設けられている。また、異物除去部１９の一部には、複数のメダル１を複数列状態で同時連続的に排出可能な長さのスリット状のメダル排出口１９ｂが形成されている。この実施の形態１では、メダル排出口１９ｂの長さはメダル直径の３枚〜４枚の長さであるが、その長さはそれ以上でもまたそれ以下でもかまわない。さらに長く形成した場合には、その長さに対応して後述する上下一対の洗浄ローラ９および洗浄液吸着ローラ１０の軸方向長さを長く形成することとなる。複数のメダル１を同時連続的に排出可能にできるという観点から、好ましくは、その長さは一枚のメダル直径以上であることが望ましい。このメダル排出口１９ｂの外方には、図１および図２に示すように、上下一対の洗浄ローラ９と洗浄液吸着ローラ１０とがメダル移送方向に沿って隣接して設けられている。メダル排出口１９ｂの上下位置には、それぞれメダル案内板２４ａ、２４ｂ（図４参照）が設けられている。このメダル案内板２４ａ、２４ｂによってメダル排出口１９ｂから排出された複数のメダル１が一枚ずつ連続状態でスムーズかつ確実に後段の洗浄ローラ９に案内される。
また、メダル排出口１９ｂの高さは、後述する。異物除去部１９の形状は、この実施形態１では、円筒状に形成されているが他の形状でもよく何ら限定するものではない。ここで、上下一対の洗浄ローラ９と洗浄液吸着ローラ１０は、基本的には、従来のものと同様の機能を果たすが、この実施の形態で使用される洗浄ローラ９と洗浄液吸着ローラ１０は、メダル排出口１９ｂから一列状態で同時排出された複数のメダル１、例えば、３枚〜４枚のメダル１を同時に処理可能な軸方向長さに形成されている。
【００１７】
１８はメダル搬送コンベア１７の搬出方向端部と異物除去部１９のメダル受入口部１９ａとの間に位置し、枠体１５に水平方向に摺動可能に設けられているメダル通過制御板であって、このメダル通過制御板１８には、メダル通過用の穴部１８ａが設けられている。通常は開状態となっている。必要に応じて手動で閉状態にすることができる。
【００１８】
２０は異物除去部１９内に形成された洗浄部、２１は円板状のメダルディスクで、メダル１よりも小径の異物除去穴部２１ａが複数開口形成され、軸部２１ｂを中心に回動可能に設けられていて、円筒状の異物除去部１９との間からメダル１が落下したり、挟まらないような大きさに形成されている。ここで、図２に示すように、このメダルディスク２１上面とメダル排出口１９ｂとの間のメダル排出隙間Ａは、メダル一枚の厚み（例えば、２種類のメダルにもその都度、調整することなく柔軟に対応できるように、２ｍｍ〜３ｍｍ程度）と同程度に形成され、メダル排出口１９ｂから複数のメダル１が一列状態でスムーズかつ確実に排出できるように形成されている。
【００１９】
２２はメダルディスク２１の下部で、かつ異物除去穴部２１ａに対向した状態で固定され、メダルディスク２１と一体的に回動する円板状の異物除去ディスクであって、異物除去穴部２１ａから落下してきた異物を全て捕獲可能になっている。異物除去ディスク２２は、メダルディスク２１と一体的に回動するので、異物除去穴部２１ａから落下してきた異物の全ては、その回転により生じる遠心力によって外方に飛ばされることとなる。ここで、異物除去ディスク２２は、メダルディスク２１と一体形成してもよい。また、異物除去ディスク２２をメダルディスク２１とは別体に構成し、かつ回転運動もメダルディスク２１とは独立して構成してもよい。
ここで、異物除去部１９とメダルディスク２１と異物除去ディスク２２とで異物除去機構が構成されている。
【００２０】
２３は上部が異物除去部１９に固着された例えばウレタンゴムや弾性材で形成されたメダル揃え板で、メダル揃え板２３の下部とメダルディスク２１上面との間のメダル整列隙間Ｂは、メダル１の１枚〜２枚の厚みと同程度に形成されている。そこで、異物除去部１９に落下してきた山積状のメダル１は、このメダル揃え板２３の下部のメダル整列隙間Ｂ（図２参照）によって、上層のメダル１は、進行阻止され、メダルディスク２１上のメダル１は、メダル１層〜２層だけが通過可能となり、このメダル揃え板２３の後方は、メダルディスク２１上に１層〜２層のメダル１のみが搬送される状態となる。また、このメダル揃え板２３の横方向の長さは、円筒状の異物除去部１９との間から、メダル１が落下したり、両者間にメダル１が挟まらないような大きさに形成されている。
【００２１】
２５は異物除去ディスク２２の外周と所定隙間を有して設けられた異物ガイド板であって、異物除去ディスク２２の回転遠心力により飛ばされてきた異物を衝突させ下方に案内する機能を有する。２６ａは、この異物ガイド板２５の下方に設けられ、落下してきた異物を集める異物取り出しトレイであって、外方へ引き出し容易に形成され捕獲集塵された異物を適宜取り出せるように形成されている。
この異物取り出しトレイ２６ａは小さな穴が多数形成され、異物とともに落下してきた洗浄液は下方の排出部２６ｂに滴下するように形成されている。
【００２２】
２７は洗浄液装置で、回収液室２８ａ、洗浄液室２８ｂ、回収された洗浄液の不純物を除去しフィルター２８ｃ、蓋２８ｄからなる液タンク２８と、給液ポンプＰ１を有し、洗浄液を洗浄部２０内のメダル１に吹き付け供給する給液管２９と、回収水ポンプＰ２を有し、メダル１を洗浄した洗浄液をためた排出部２６ｂから洗浄液を回収し、この回収洗浄液を回収液室２８ａに循環回収する回収液管３０とから洗浄液の循環水路が構成されている。
【００２３】
３１は駆動装置で、図５に示すように、ディスク駆動系とローラ群の駆動系との二つの駆動系を駆動させる駆動モータ３１ａと、メダルディスク２１を回動させる上記ディスク駆動系の駆動ベルト３１ｂ、一対のベベルギヤー３１ｃ、３１ｄ、駆動ベルト３１ｅと、ローラ群を駆動させる上記ローラ駆動系の駆動ベルト３１ｆとから構成されている。上記ディスク駆動系は、駆動モータ３１ａの駆動により一方の駆動ベルト３１ｂが回動して一方のベベルギヤー３１ｃを回動し、これと噛合う他方のベベルギヤー３１ｄが回動され、このベベルギヤー３１ｄの他端のプーリーとメダルディスク２１の軸部２１ｂ軸端のプーリー間とに装着された駆動ベルト３１ｅによってメダルディスク２１が回動し、従って、同体に設けられている異物除去ディスク２２も同時に回動されるように構成されている。また、上記ローラ駆動系は、駆動モータ３１ａの駆動により他方の駆動ベルト３１ｆによって、洗浄液回収ローラ９ｃと洗浄液絞りローラ１０ｃが同時に回動されるように構成されている。
なお、この実施の形態１では、駆動装置３１は、ディスク駆動系とローラ群の駆動系との二つの駆動系を駆動させる構成とし、極めて効率が良くしかも構造が簡単にすることが達成できたが、これに限定されることなく、各々独立した駆動機構としてもよい。
【００２４】
次に動作について説明する。
遊技場から回収されたメダル１は、メダル洗浄装置１４の枠体１５の上部に設けられたホッパー１６の上部開口部から投入され、下部開口部１６ａから下方に設けられたメダル搬送コンベア１７上に落下し、図示しない駆動装置によって回動される搬送ベルトにより移送され、搬送方向端部から下方に落下する。
【００２５】
この際、メダル通過制御板１８は、通常、開状態となっているので、穴部１８ａから洗浄部２０である下方の異物除去部１９内のメダルディスク２１上に落下し、山積状となる。異物除去部１９内に山積状となったメダル１の処理量は、目安としている量は、メダルディスク２１上面高さ２０〜３０ｍｍ程度の高さの処理量である。もちろん、何ら限定されることはなく、それ以下でも以上であってもよい。この処理量の制御は通常メダル搬送コンベア１７の動作およびその搬送速度によって行う。メダルディスク２１は駆動装置３１によって回動されているので、メダルディスク２１上に載置されたメダル１も円運動状態で搬送される。この過程において、給液管２９から洗浄液が洗浄部２０内のメダル１に吹き付け供給される。
【００２６】
また、山積状のメダル１は、メダル整列隙間Ｂを有するメダル揃え板２３によって、上層のメダル１は、進行阻止され、メダルディスク２１上のメダル１は、メダル１層だけが通過可能となり、このメダル揃え板２３の後方は、メダルディスク２１上に１層〜２層のメダル１のみが搬送されるメダルディスク２１の回転により生じる遠心力、順次、落下してきた山積状のメダル１の重量による押し圧力およびこのメダル揃え板２３の存在によりメダル相互が移動・攪拌される過程において、洗浄部２０内のメダル１は吹き付け供給された洗浄液によってある程度洗浄されることとなる。そして、メダルディスク２１上の１層目のメダル１には、外方へ移行させようとするの遠心力と上方にある山積状のメダル１重量による押し圧力によって次々と連続的にメダル排出口２４から外方に押し出されされる。ここで、メダル排出口１９ｂは、複数のメダル１を複数列状態で同時排出可能な長さのスリット状に形成され、かつ、メダルディスク２１上面とメダル排出口１９ｂとの間のメダル排出隙間Ａは、メダル一枚の厚みと同程度に形成されているので、メダル排出口１９ｂから複数のメダル１が一枚ずつ連続状態でスムーズかつ確実に排出できる。この際、メダル排出口１９ｂの上下に設けられたメダル案内板２４ａ、２４ｂによってメダル排出口１９ｂから排出された複数のメダル１が一枚ずつ連続状態でスムーズかつ確実に後段の洗浄ローラ９に案内される。
【００２７】
その後、メダル１は、洗浄ローラ９の上部洗浄ローラ９ａと下部洗浄ローラ９ｂ間に挟着され、搬送されながら上下表面が洗浄されて、隣接して設けられた洗浄液吸着ローラ１０の上部洗浄液吸着ローラ１０ａと下部洗浄液吸着ローラ１０ｂ間に挟着されて搬送されながら上下表面に付着している洗浄液が拭き取られて出口シュート１１から図示しないメダル回収箱へ落下収納される。
【００２８】
次に異物除去について説明する。
図示しないスロットマシンから回収されたメダル１には、スロットマシンの点検や補修の際に落下もしくは取り残されたビスやワッシャ等の小さな異物が混入している場合があり、この異物はメダル１と共に投入された後、上述のようなメダルディスク２１上のメダル１の移動・攪拌動作に連動し重力方向に移動し、異物除去穴部２１ａから下方の異物除去ディスク２２上に落下し、全て捕獲される。また、洗浄液も異物除去穴部２１ａから下方の異物除去ディスク２２上に落下する。
【００２９】
異物除去ディスク２２は、メダルディスク２１と一体的に回動するので、異物除去穴部２１ａから落下してきた異物、洗浄液の全ては、その回転により生じる遠心力によって外方に飛ばされ、異物ガイド板２５に衝突し下方に案内され、下方に設置してある異物取り出しトレイ２６ａ上に落下して収納され、随時引き出されて集められた異物が除去される。
【００３０】
次に駆動装置３１について説明する。
まず、ディスク駆動系においては、駆動モータ３１ａの駆動により一方の駆動ベルト３１ｂが回動して一方のベベルギヤー３１ｃを回動し、これと噛合う他方のベベルギヤー３１ｄが回動され、このベベルギヤー３１ｄの他端のプーリーとメダルディスク２１の軸部２１ｂ軸端のプーリー間とに装着された駆動ベルト３１ｅによってメダルディスク２１が回動し、従って、同体に設けられている異物除去ディスク２２も同時に回動される。
【００３１】
次にローラ駆動系においては、駆動モータ３１ａの駆動により他方の駆動ベルト３１ｆによって、洗浄液回収ローラ９ｃと洗浄液絞りローラ１０ｃが同時に回動される。
【００３２】
まず、洗浄液回収ローラ９ｃと強く圧接している洗浄ローラ９の下部洗浄ローラ９ｂが回動され、ついで、この下部洗浄ローラ９ｂと圧接している上部洗浄ローラ９ａが回動され、これにより、メダル１を搬送しながら洗浄すると共に下部洗浄ローラ９ｂに含まれている洗浄液を圧接により取り出して下方の排出部２６ｂに滴下貯留させる。
【００３３】
次に洗浄液絞りローラ１０ｃと強く圧接している洗浄液吸着ローラ１０の下部洗浄液吸着ローラ１０ｂが回動され、ついで、この下部洗浄液吸着ローラ１０ｂと圧接している上部洗浄液吸着ローラ１０ａが回動され、これにより、メダル１を搬送しながら付着している洗浄液を吸着し、この洗浄液を圧接により絞り出して下方の排出部２６ｂに滴下貯留させる。
【００３４】
次に、洗浄液装置２７について説明する。まず、液タンク２８の洗浄液室２８ｂに注水されて収納されている洗浄液は、給液管２９の給液ポンプＰ１によってメダルディスク２１上のメダル１に注水して洗浄する。このメダル１を洗浄した後の洗浄液はメダルディスク２１の異物除去穴部２１ａから異物除去ディスク２２を経て下方の排出部２６ｂに滴下貯留される。洗浄液回収ローラ９ｃおよび洗浄液絞りローラ１０ｃから滴下した洗浄液と共に回収液管３０の回収水ポンプＰ２によって液タンク２８の回収液室２８ａに回収され、フィルター２８ｃによって不純物が除去され洗浄液となって洗浄液室２８ｂに収納され使用される。
【００３５】
以上のようにこの実施の形態１によれば、従来のように洗浄コンベアやブラッシングローラによって異物を除去するのではなく、複数の異物除去穴部が開口形成されたメダルディスクと、このメダルディスクの異物除去穴部の下方に設けられ、該異物除去穴部から落下してきた異物を遠心力により所定部位に案内する異物除去ディスクとを備えた異物除去機構により行うので、メダル洗浄に要する時間が短縮され、また、装置が小型軽量となり、さらに異物除去が確実で簡単にできる効果がある。また、複数のメダルを複数枚同時に連続状態で効率よくメダルは移出口から排出できる効果が得られる。さらに、メダルに付着した異物を確実に分離できるとともに、メダルの洗浄が効率よく行えるという効果が得られる。なお、この実施の形態１では、異物除去ディスク２２をメダルディスク２１の下方に設けたが、異物除去ディスク２２を省略し、メダルディスク２１で分離された異物をそのまま落下させ適正位置にシュートを設置して所定の場所に集塵してもよい。
【００３６】
実施の形態２．
以下、この発明の他の実施の形態を図について説明する。
図６，図７において、３２は底面にキャスター３３が取り付けられた台車であって、メダル洗浄装置１８全体を載置・移動可能に構成されている。３４は異物除去部１９の上面に開口されたメダル受入口１９ａの周囲の三方を囲んで設けられたガイド板である。
【００３７】
外方に位置する枠体１５にはメダル搬送コンベア１７が装着されている。内方に位置する異物除去部１９には、洗浄部２０と洗浄装置２７と駆動装置３１とが装着接続されている。
【００３８】
これら異物除去部１９等のメダル洗浄装置１８は台車３２上に設置され、キャスター３３によって移動可能に構成されている。異物除去部１９上面のメダル受入口１９ａの周囲には一方が水平方向に開口されたガイド板３４が設けられており、この開口部を枠体１５のメダル落下部１５ａを目標に挿入すると、枠体１５と異物除去部１９の装着が容易となる。
【００３９】
以上のようにこの実施の形態２によれば、装置の保守点検、補修作業が簡単にできる効果が得られる。
【００４０】
実施の形態３．
上記実施の形態１では、液タンク２８に蓋２８ｄを設けて、この蓋を開閉して洗浄液を注入するものを示したが、図８に示すように蓋２８ｄの一部に、例えば、スポンジ状の通水部材３５を上部が凹んだ状態で設けて、この通水部材３５から洗浄液を注入できる。蓋２８ｄの開閉は内部掃除のときに利用する。また、運搬に関し、内部の水がはねても外方へ飛び散ることはない。
以上のようにこの実施の形態３によれば、注水の際に蓋を開閉することなく注水が可能なので注水作業が簡単となる効果が得られる。
【００４１】
【発明の効果】
以上のように、この発明によれば、この発明に係わる異物除去機構は、複数の異物除去穴部が開口形成され、洗浄対象である複数のメダルの載置場所を有し、回動可能に形成されたメダルディスクと、このメダルディスクの異物除去穴部の下方に設けられ、該メダルディスクと一体に回動し、該異物除去穴部から落下してきた異物を遠心力により所定部位に案内する異物除去ディスクと備えた構成としたので、メダル洗浄に要する時間が短縮され、また、装置が小型軽量となり、さらに異物除去が確実で簡単にできる効果がある。
【００４２】
この発明によれば、複数のメダルを複数枚排出可能な所定の長さ、およびメダルディスクとの間で所定の高さを有するメダル排出口を設けた異物除去部を設けた構成としたので、複数のメダルを一列状態で効率よく排出できる効果が得られる。
【００４３】
この発明によれば、メダルディスクに載置移送されているメダルを整列するメダル揃え板を設けた構成としたので、メダルに付着した異物を確実に分離できるとともに、メダルの洗浄が効率よく行えるという効果が得られる。
【００４４】
この発明によれば、メダル排出口を有し、搬送されてきた洗浄対象である複数のメダルを収納する異物除去部と、この異物除去部内に配置され、複数の異物除去穴部を有する回動可能に形成されたメダルディスクと、このメダルディスクの下方に配置され、該メダルディスクと一体に回動し、異物除去穴部から落下してきた異物を遠心力により除去する異物除去ディスクと、上記メダル排出口に対向して配置された洗浄ローラと、この洗浄ローラのメダル排出側に隣設けられた洗浄液吸着ローラと、上記メダルディスク、異物除去ディスク、洗浄ローラ、洗浄液吸着ローラを駆動させる駆動装置とを備えた構成としたので、メダル洗浄に要する時間が短縮され、また、装置が小型軽量となり、さらに異物除去が確実で簡単にできる効果がある。
【００４５】
この発明によれば、メダルを入れるホッパーの下部開口部の下方に設けられたメダル搬送コンベアと、このメダル搬送コンベアの搬出方向端部の下方に設けられ、所定長さで開口されたメダル排出口を有する異物除去部と、この異物除去部内に軸部を支承して設けられ、異物除去穴部が開口されたメダルディスクと、このメダルディスクの異物除去穴部の下方に設けられ、該メダルディスクと一体に回動し、該異物除去穴部から落下してきた異物を遠心力により所定部位に案内する異物除去ディスクと、箱体に装着され上記メダルディスクの上面と所定隙間を作るメダル揃え板と、上記メダル排出口の外方に設けられた一対の洗浄ローラと、この洗浄ローラのメダル排出方向に隣接して設けられた一対の洗浄液吸着ローラと、上記双方のディスクと上記双方のローラを駆動させる駆動装置と、洗浄液を循環させる洗浄液装置とを備えた構成としたので、メダル洗浄に要する時間が短縮され、また、装置が小型軽量となり、さらに異物除去が確実で簡単にできる効果が得られる。
【００４６】
この発明によれば、メダル洗浄装置全体を載置し、全体を移動可能とするキャスターが設けられた台車を備えた構成としたので、  装置の保守点検、補修作業が簡単にできる効果が得られる。
【００４７】
この発明によれば、洗浄装置は、液タンクの注水口に通水部材を備えた構成としたので、注水の際に蓋を開閉することなく注水が可能なので注水作業が簡単となる効果が得られる。
【図面の簡単な説明】
【図１】この発明の実施の形態１によるメダル洗浄装置を示す機器構成正面図である。
【図２】図１のメダルディスクと異物除去ディスクを示す詳細部分断面正面図である。
【図３】メダルディスクの平面図である。
【図４】メダル案内板の平面図である。
【図５】この発明の駆動装置を示す構成図である。
【図６】この発明の実施の形態２を示す概略構成正面図である。
【図７】図６の箱体の平面図である。
【図８】この発明の実施の形態３の液タンクを示す断面正面図である。
【図９】従来のメダル洗浄装置を示す機器構成正面図である。
【符号の説明】
９  洗浄ローラ
１０  洗浄液吸着ローラ
１４  メダル洗浄装置
１５  枠体
１８  メダル制御開閉板
１９  異物除去部
１９ｂ  メダル排出口
２０  洗浄部
２１  メダルディスク
２１ａ  異物除去穴部
２２  異物除去ディスク
２３  メダル揃え板
２４  メダル案内板
２５  異物ガイド板
２６ａ  異物取り出しトレイ
２７  洗浄液装置
２８  液タンク
３１  駆動装置
３２  台車
３４  ガイド板
３５  通水部材
【図１】
0003723087.tif 000002
【図２】
0003723087.tif 000003
【図３】
0003723087.tif 000004
【図４】
0003723087.tif 000005
【図５】
0003723087.tif 000006
【図６】
0003723087.tif 000007
【図７】
0003723087.tif 000008
【図８】
0003723087.tif 000009
【図９】
0003723087.tif 000010